(57)【特許請求の範囲】
【請求項１】
電子機器の電源をオン又はオフするための物理的な電源スイッチをそれぞれが含む複数のユニットを有する前記電子機器の前記電源スイッチを切り換えることを指示する命令を、通信ネットワークを介して受信する命令受信部と、
前記電源スイッチを切り換えることを指示する命令に従って、前記複数のユニットの電源スイッチのそれぞれに対して物理的に作用する複数のアクチュエータを、予め定められた順番で、予め定められた駆動量に応じて駆動させた後、前記複数のアクチュエータを、前記予め定められた順番とは逆順で、前記予め定められた駆動量に応じて駆動させる駆動部と
を備える制御装置。
【請求項２】
電子機器の電源をオン又はオフするための物理的な電源スイッチを切り換えることを指示する命令を、通信ネットワークを介して受信する命令受信部と、
前記電源スイッチを切り換えることを指示する命令に従って、前記電源スイッチに対して物理的に作用するアクチュエータを、予め定められた駆動量に応じて駆動する駆動部と、
前記命令受信部が受信した命令が、複数の前記電子機器のうちの一の電子機器の前記電源をオフにするために前記電源スイッチを切り換えることを指示する命令である場合であって、複数の前記電子機器のそれぞれが有する、前記電子機器に異常が発生しているときに点灯するアラームランプを撮像するアラームランプ撮像部によって撮像された画像に基づいて前記一の電子機器が有する前記アラームランプが点灯していないと判定された場合、警告情報を送信する警告情報送信部と
を備える制御装置。
【請求項３】
制御装置であって、
電子機器の電源をオン又はオフするための物理的な電源スイッチをそれぞれが含む複数のユニットを有する前記電子機器の前記電源スイッチを切り換えることを指示する命令を、通信ネットワークを介して受信する命令受信部と、
前記電源スイッチを切り換えることを指示する命令に従って、前記複数のユニットの電源スイッチのそれぞれに対して物理的に作用する複数のアクチュエータを、予め定められた順番で、予め定められた駆動量に応じて駆動する駆動部と
を備え、
前記制御装置は、前記アクチュエータを、前記予め定められた駆動量に応じて駆動させた後、前記アクチュエータに対応する前記電源スイッチを含む前記ユニットの電源が、前記アクチュエータを駆動させる前の状態から切り換わっているか否かを判定する判定部をさらに備え、
前記駆動部は、前記複数のアクチュエータを、前記予め定められた順番で、前記予め定められた駆動量に応じて駆動させる場合に、前記複数のユニットのうちの一のユニットの前記電源スイッチに対応する一のアクチュエータを、前記予め定められた駆動量に応じて駆動させた後、前記一のユニットの電源が切り換わっていると判定された場合、前記一のアクチュエータの次の順番のアクチュエータを、前記予め定められた駆動量に応じて駆動させる、
制御装置。
【請求項４】
前記複数のアクチュエータを、前記予め定められた順番で、前記予め定められた駆動量に応じて駆動させる場合に、前記複数のユニットのうちの一のユニットの前記電源スイッチに対応する一のアクチュエータを、前記予め定められた駆動量に応じて駆動させた後、前記一のユニットの電源が切り換わっていないと判定された場合、警告情報を送信する第１警告情報送信部
をさらに備え、
前記駆動部は、前記複数のアクチュエータを、前記予め定められた順番で、前記予め定められた駆動量に応じて駆動させる場合に、前記複数のユニットのうちの一のユニットの前記電源スイッチに対応する一のアクチュエータを、前記予め定められた駆動量に応じて駆動させた後、前記一のユニットの電源が切り換わっていないと判定された場合、前記一のアクチュエータの次の順番以降のアクチュエータを駆動させない、
請求項３に記載の制御装置。
【請求項５】
前記アクチュエータが駆動した駆動量を取得する駆動量取得部
をさらに備え、
前記判定部は、前記駆動量が予め定められた量より多い場合に、前記アクチュエータに対応する前記電源スイッチを含む前記ユニットの電源が、前記アクチュエータの駆動前の状態から切り換わっていると判定し、前記駆動量が前記予め定められた量より少ない場合、前記アクチュエータに対応する前記電源スイッチを含む前記ユニットの電源が、前記アクチュエータの駆動前の状態から切り換わっていないと判定する、請求項３又は４に記載の制御装置。
【請求項６】
前記判定部は、前記電源スイッチを撮像するスイッチ撮像部によって撮像された前記電源スイッチの画像に基づいて、前記電源スイッチを含む前記ユニットの電源が、前記アクチュエータの駆動前の状態から切り換わっているか否かを判定する、請求項３から５のいずれか一項に記載の制御装置。
【請求項７】
前記判定部は、前記電源スイッチを含む前記ユニットの電源がオンになっているときに点灯する電源ランプを撮像する電源ランプ撮像部によって撮像された前記電源ランプの画像に基づいて、前記電源スイッチを含む前記ユニットの電源が、前記アクチュエータの駆動前の状態から切り換わっているか否かを判定する、請求項３から６のいずれか一項に記載の制御装置。
【請求項８】
前記命令受信部が受信した命令が、複数の前記電子機器のうちの一の電子機器の前記電源をオフにするために前記電源スイッチを切り換えることを指示する命令である場合であって、複数の前記電子機器のそれぞれが有する、前記電子機器に異常が発生しているときに点灯するアラームランプを撮像するアラームランプ撮像部によって撮像された画像に基づいて前記一の電子機器が有する前記アラームランプが点灯していないと判定された場合、警告情報を送信する第２警告情報送信部と
をさらに備える、請求項３から７のいずれか一項に記載の制御装置。
【請求項９】
前記アクチュエータをさらに備える、請求項１から８のいずれか一項に記載の制御装置。
【請求項１０】
前記電子機器は、通信中継装置である、請求項１から９のいずれか一項に記載の制御装置。
【請求項１１】
コンピュータを、請求項１から１０のいずれか一項に記載の制御装置として機能させるためのプログラム。
【請求項１２】
制御方法であって、
電子機器の電源をオン又はオフするための物理的な電源スイッチをそれぞれが含む複数のユニットを有する前記電子機器の前記電源スイッチを切り換えることを指示する命令を、通信ネットワークを介して受信する命令受信工程と、
前記電源スイッチを切り換えることを指示する命令に従って、前記複数のユニットの電源スイッチに対して物理的に作用する複数のアクチュエータを、予め定められた順番で、予め定められた駆動量に応じて駆動する駆動工程と
を備え、
前記制御方法は、前記アクチュエータを、前記予め定められた駆動量に応じて駆動させた後、前記アクチュエータに対応する前記電源スイッチを含む前記ユニットの電源が、前記アクチュエータを駆動させる前の状態から切り換わっているか否かを判定する判定工程をさらに備え、
前記駆動工程は、前記複数のアクチュエータを、前記予め定められた順番で、前記予め定められた駆動量に応じて駆動させる場合に、前記複数のユニットのうちの一のユニットの前記電源スイッチに対応する一のアクチュエータを、前記予め定められた駆動量に応じて駆動させた後、前記一のユニットの電源が切り換わっていると判定された場合、前記一のアクチュエータの次の順番のアクチュエータを、前記予め定められた駆動量に応じて駆動させる、
制御方法。
【請求項１３】
それぞれが物理的な電源スイッチを含む複数のユニットを有する電子機器の前記電源スイッチを切り換えることを指示する命令を、通信ネットワークを介して受信する命令受信部と、
前記電源スイッチに対して物理的に作用するアクチュエータと、
前記複数のユニットの電源スイッチに対応する複数の前記アクチュエータを、予め定められた順番で、予め定められた駆動量に応じて駆動する駆動部と、を備え
前記駆動部は、前記複数のユニットのうちの一のユニットの前記電源スイッチに対応する一のアクチュエータを、前記予め定められた駆動量に応じて駆動させるよう制御した後、前記一のアクチュエータが実際に駆動した量が前記予め定められた駆動量に満たないと判定された場合には、前記一のアクチュエータの次の順番以降のアクチュエータを駆動させない、制御装置。
【発明の詳細な説明】
【技術分野】
【０００１】
本発明は、制御装置、プログラム及び制御方法に関する。
【背景技術】
【０００２】
トグルスイッチのような物理的なスイッチを搭載するコンピュータ装置が知られている（例えば、特許文献１参照）。物理的なスイッチは、例えば、電源スイッチとして利用される。
［先行技術文献］
［特許文献］
［特許文献１］特開２０１３−０２０６１５号公報
【発明の概要】
【発明が解決しようとする課題】
【０００３】
電子機器の物理的な電源スイッチを遠隔で切り換えることができる仕組みを提供できることが望ましい。
【課題を解決するための手段】
【０００４】
本発明の第１の態様によれば、電子機器の電源をオン又はオフするための物理的な電源スイッチを切り換えることを指示する命令を、通信ネットワークを介して受信する命令受信部と、電源スイッチを切り換えることを指示する命令に従って、電源スイッチに対して物理的に作用するアクチュエータを、予め定められた駆動量に応じて駆動する駆動部とを備える制御装置が提供される。
【０００５】
上記制御装置は、上記アクチュエータをさらに備えてよい。上記電子機器は、通信中継装置であってよい。上記電子機器は、それぞれが上記電源スイッチを含む複数のユニットを有してよく、上記駆動部は、上記電源スイッチを切り換えることを指示する命令に従って、上記複数のユニットの電源スイッチに対応する複数の上記アクチュエータを、予め定められた順番で、上記予め定められた駆動量に応じて駆動してよい。上記駆動部は、上記電源スイッチを切り換えることを指示する命令に従って、上記複数のアクチュエータを、上記予め定められた順番で、上記予め定められた駆動量に応じて駆動させた後、上記複数のアクチュエータを、上記予め定められた順番とは逆順で、上記予め定められた駆動量に応じて駆動させてよい。
【０００６】
上記制御装置は、上記アクチュエータを、上記予め定められた駆動量に応じて駆動させた後、上記アクチュエータに対応する上記電源スイッチを含む上記ユニットの電源が、上記アクチュエータを駆動させる前の状態から切り換わっているか否かを判定する判定部をさらに備えてよく、上記駆動部は、上記複数のアクチュエータを、上記予め定められた順番で、上記予め定められた駆動量に応じて駆動させる場合に、上記複数のユニットのうちの一のユニットの上記電源スイッチに対応する一のアクチュエータを、上記予め定められた駆動量に応じて駆動させた後、上記一のユニットの電源が切り換わっていると判定された場合、上記一のアクチュエータの次の順番のアクチュエータを、上記予め定められた駆動量に応じて駆動させてよい。上記制御装置は、上記複数のアクチュエータを、上記予め定められた順番で、上記予め定められた駆動量に応じて駆動させる場合に、上記複数のユニットのうちの一のユニットの上記電源スイッチに対応する一のアクチュエータを、上記予め定められた駆動量に応じて駆動させた後、上記一のユニットの電源が切り換わっていないと判定された場合、警告情報を送信する第１警告情報送信部をさらに備えてよく、上記駆動部は、上記複数のアクチュエータを、上記予め定められた順番で、上記予め定められた駆動量に応じて駆動させる場合に、上記複数のユニットのうちの一のユニットの上記電源スイッチに対応する一のアクチュエータを、上記予め定められた駆動量に応じて駆動させた後、上記一のユニットの電源が切り換わっていないと判定された場合、上記一のアクチュエータの次の順番以降のアクチュエータを駆動させなくてよい。
【０００７】
上記制御装置は、上記アクチュエータが駆動した駆動量を取得する駆動量取得部をさらに備えてよく、上記判定部は、上記駆動量が予め定められた量より多い場合に、上記アクチュエータに対応する上記電源スイッチを含む上記ユニットの電源が、上記アクチュエータの駆動前の状態から切り換わっていると判定してよく、上記駆動量が上記予め定められた量より少ない場合、上記アクチュエータに対応する上記電源スイッチを含む上記ユニットの電源が、上記アクチュエータの駆動前の状態から切り換わっていないと判定してよい。上記制御装置は、上記電源スイッチを撮像するスイッチ撮像部をさらに備えてよく、上記判定部は、上記スイッチ撮像部によって撮像された上記電源スイッチの画像に基づいて、上記電源スイッチを含む上記ユニットの電源が、上記アクチュエータの駆動前の状態から切り換わっているか否かを判定してよい。上記制御装置は、上記電源スイッチを含む上記ユニットの電源がオンになっているときに点灯する電源ランプを撮像する電源ランプ撮像部をさらに備えてよく、上記判定部は、上記電源ランプ撮像部によって撮像された上記電源ランプの画像に基づいて、上記電源スイッチを含む上記ユニットの電源が、上記アクチュエータの駆動前の状態から切り換わっているか否かを判定してよい。上記制御装置は、複数の上記電子機器のそれぞれが有する、上記電子機器に異常が発生しているときに点灯するアラームランプを撮像するアラームランプ撮像部と、上記命令受信部が受信した命令が、複数の上記電子機器のうちの一の電子機器の上記電源をオフにするために上記電源スイッチを切り換えることを指示する命令である場合であて、上記アラームランプ撮像部によって撮像された画像に基づいて上記一の電子機器が有する上記アラームランプが点灯していないと判定された場合、警告情報を送信する第２警告情報送信部とをさらに備えてよい。
【０００８】
本発明の第２の態様によれば、コンピュータを、上記制御装置として機能させるためのプログラムが提供される。
【０００９】
本発明の第３の態様によれば、電子機器の電源をオン又はオフするための物理的な電源スイッチを切り換えることを指示する命令を、通信ネットワークを介して受信する命令受信工程と、電源スイッチを切り換えることを指示する命令に従って、電源スイッチに対して物理的に作用するアクチュエータを、予め定められた駆動量に応じて駆動する駆動工程とを備える制御方法が提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】制御装置１００の一例を概略的に示す。
【図２】アクチュエータ２００の設置例を概略的に示す。
【図３】スイッチカバー３５０の一例を概略的に示す。
【図４】制御装置１００の使用環境の一例を概略的に示す。
【図５】制御装置１００の機能構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、制御装置１００の一例を概略的に示す。本実施形態に係る制御装置１００は、任意の電子機器が有する物理的なスイッチ３０を切り換えることを指示する命令を、通信ネットワーク１０を介して通信端末２０から受信し、当該命令に従って、スイッチ３０に対して物理的に作用するアクチュエータ２００を、予め定められた駆動量に応じて駆動して、スイッチ３０を切り換える。制御装置１００は、切換対象となるスイッチ３０を切り換えることができる、アクチュエータ２００の駆動量を予め格納しておいてよい。このように、制御装置１００が、通信ネットワーク１０を介して受信した命令に従って、スイッチ３０を切り換えることが可能な駆動量、アクチュエータ２００を駆動させる構成をとることにより、電子機器の物理的なスイッチ３０を遠隔で切り換えることができる仕組みを提供できる。
【００１４】
通信ネットワーク１０は、任意のネットワークであってよい。通信ネットワーク１０は、ＬＡＮ（Ｌｏｃａｌ  Ａｒｅａ  Ｎｅｔｗｏｒｋ）を含んでよい。通信ネットワーク１０は、ＷＡＮ（Ｗｉｄｅ  Ａｒｅａ  Ｎｅｔｗｏｒｋ）を含んでよい。通信ネットワーク１０は、Ｏ＆Ｍ（Ｏｐｅｒａｔｉｏｎ  ＆  Ｍａｉｎｔｅｎａｎｃｅ）ネットワークを含んでよい。通信ネットワーク１０は、インターネットを含んでよい。通信ネットワーク１０は、電話網を含んでよい。
【００１５】
通信端末２０は、通信可能な端末であればどのような端末であってもよい。例えば、通信端末２０は、スマートフォン等の携帯電話、タブレット端末、及びＰＣ（Ｐｅｒｓｏｎａｌ  Ｃｏｍｐｕｔｅｒ）等である。
【００１６】
スイッチ３０を有する電子機器は、例えば、通信中継装置であってよい。通信中継装置の具体例として、回線交換機が挙げられる。スイッチ３０は、例えば電源スイッチであってよい。制御装置１００は、電子機器の電源をオン又はオフにするためのスイッチ３０を切り換えることを指示する命令を、通信ネットワーク１０を介して受信し、当該命令に従って、アクチュエータ２００を、予め定められた駆動量に応じて駆動させることによって、電子機器の電源をオン又はオフに切り換えてよい。
【００１７】
図１は、スイッチ３０がトグルスイッチであり、アクチュエータ２００がサーボモータである場合を例示しているが、これに限らない。切換対象のスイッチ３０に適した任意の構造のアクチュエータ２００が用いられてよい。例えば、スイッチ３０が押しボタン式のスイッチである場合、アクチュエータ２００は、ソレノイドアクチュエータであってよい。
【００１８】
図２は、アクチュエータ２００の設置例を概略的に示す。図２は、電源スイッチ３１２を含むユニット３１０と、電源スイッチ３２２を含むユニット３２０と、電源スイッチ３３２を含むユニット３３０と、電源スイッチ３４２を含むユニット３４０とを有する回線交換機３００へのアクチュエータ２００の設置例を示す。
【００１９】
ユニット３１０及びユニット３２０と、ユニット３３０及びユニット３４０との関係は任意の関係であってよい。例えば、ユニット３１０及びユニット３２０と、ユニット３３０及びユニット３４０との関係は、メインとサブの関係である。ユニット３１０とユニット３２０との関係は任意の関係であってよい。例えば、ユニット３１０とユニット３２０との関係は、メインとサブの関係である。ユニット３３０とユニット３４０との関係は任意の関係であってよい。例えば、ユニット３３０とユニット３４０との関係は、メインとサブの関係である。
【００２０】
回線交換機３００に障害が発生した場合に、回線交換機３００をソフトリセットすることによって障害復旧が試みられる場合があるが、ソフトリセットでは復旧しない場合がある。ソフトリセットで復旧しない場合、回線交換機３００をハードリセットすることによって障害復旧が試みられる。
【００２１】
図２に例示するように、それぞれが複数の電源スイッチを含む複数のユニットを有する回線交換機３００をハードリセットする場合、全ての電源スイッチをオフに切り換えた後、全ての電源スイッチをオンに切り換えることになる。ここで、複数の電源スイッチは、予め定められた順番でオフに切り換えられ、当該順番とは逆順でオンに切り換えられる必要がある場合がある。例えば、回線交換機３００によっては、このような順番とは異なる順番で切り換えられた場合に、不具合が発生する場合がある。また、回線交換機３００によっては、このような順番とは異なる順番で切り換えられた場合、このような順番で切り換えられた場合に比べて、復旧する可能性が低下する場合がある。
【００２２】
回線交換機３００のハードリセットを人手で行う場合、切り換えを行う者が予め定められた順番を把握していなかったり、把握しているにも関わらずミスをしたりすることによって、予め定められた順番とは異なる順番で複数の電源スイッチが切り換えられてしまう場合がある。また、回線交換機３００のハードリセットを人手で行う場合、回線交換機３００の障害の発生時期は未定であることから、常に人員を配置する必要が生じ、人的コストがかかってしまう。
【００２３】
本実施形態に係る制御装置１００は、電源スイッチを切り換えることを指示する命令を、通信ネットワーク１０を介して受信したことに応じて、複数のアクチュエータ２００を、予め定められた順番で、予め定められた駆動量に応じて駆動させた後、複数のアクチュエータ２００を、予め定められた順番と逆順で、予め定められた駆動量に応じて駆動させてよい。これにより、遠隔指示による回線交換機３００のハードリセットを実現できることから、人的コストを削減することができ、かつ、予め定められた順番とは異なる順番で複数の電源スイッチが切り換えられてしまうことを防止することができる。
【００２４】
アクチュエータ２００は、回線交換機３００が収納されるラック３０２に、Ｌ字金具１９０によって設置されてよい。これにより、アクチュエータ２００を強固に固定できるので、アクチュエータ２００を駆動させたときの反力等によって、アクチュエータ２００と電源スイッチとの位置関係が変化してしまうことを防止できる。また、アクチュエータ２００の配置の微調整をしやすくすることができる。
【００２５】
図３は、電源スイッチ３１２に取り付けられたスイッチカバー３５０の一例を概略的に示す。アクチュエータ２００によって電源スイッチ３１２を切り換えるにあたって、電源スイッチ３１２の全長が十分でない場合がある。すなわち、電源スイッチ３１２の全長が短い場合に、アクチュエータ２００の電源スイッチ３１２に当接する当接部が、電源スイッチ３１２に十分に当接しないことによって、電源スイッチ３１２を切り換えることができない場合がある。また、電源スイッチ３１２の素材は金属である場合が多く、弾性が非常に少ないことから、アクチュエータ２００の駆動が、電源スイッチ３１２を切り換えた後も続いてしまうような場合に、アクチュエータ２００に過度の負荷がかかってしまう場合がある。
【００２６】
そこで、本実施形態においては、電源スイッチ３１２に、スイッチカバー３５０が取り付けられてよい。スイッチカバー３５０は、電源スイッチ３１２の長さを延長することができ、かつ、ある程度の弾性を有するチューブ状の部材であれば、どのような部材であってもよい。例えば、スイッチカバー３５０として、自転車のブレーキのチューブが使用されてよい。スイッチカバー３５０は、回線交換機３００が有する全ての電源スイッチに取り付けられてよい。
【００２７】
図４は、制御装置１００の使用環境の一例を概略的に示す。図４は、ネットワーク４０に接続された交換局５０に配置された複数の回線交換機５００のそれぞれに対して、制御装置１００が使用される場合を例示する。制御装置１００は、回線交換機５００が有する複数の電源スイッチ５１０のそれぞれに対応する複数のアクチュエータ２００を制御する。複数の電源スイッチ５１０は、回線交換機５００が有する複数のユニットの電源をオン又はオフにするためのスイッチであってよい。
【００２８】
制御装置１００は、通信ネットワーク１０を介して通信端末２０から受信した、電源スイッチ５１０を切り換えることを指示する命令に従って、複数の電源スイッチ５１０に対応する複数のアクチュエータ２００を、予め定められた順番で、予め定められた駆動量に応じて駆動させる。これにより、回線交換機５００が有する複数のユニットの電源を、予め定められた順番で、オフに切り換えることができる。また、回線交換機５００が有する複数のユニットの電源を、予め定められた順番で、オンに切り換えることができる。
【００２９】
制御装置１００は、通信ネットワーク１０を介して通信端末２０から受信した、電源スイッチ５１０を切り換えることを指示する命令に従って、複数の電源スイッチ５１０に対応する複数のアクチュエータ２００を、予め定められた順番で、予め定められた駆動量に応じて駆動させた後、複数のアクチュエータ２００を、予め定められた順番とは逆順で、予め定められた駆動量に応じて駆動させてよい。これにより、遠隔指示に従って、回線交換機５００をハードリセットすることができる。
【００３０】
制御装置１００は、アクチュエータ２００を予め定められた駆動量に応じて駆動させた後、アクチュエータ２００に対応する電源スイッチ５１０を含むユニットの電源が、アクチュエータ２００を駆動させるための状態から切り換わっているか否かを判定してよい。例えば、制御装置１００は、複数のユニットの電源をオフにすべく、アクチュエータ２００を予め定められた駆動量に応じて駆動させた後、アクチュエータ２００に対応する電源スイッチ５１０を含むユニットの電源が、オフに切り換わっているか否かを判定する。
【００３１】
制御装置１００は、例えば、アクチュエータ２００が実際に駆動した駆動量が予め定められた量より多い場合、ユニットの電源が切り換わっていると判定し、当該駆動量が予め定められた量より少ない場合、ユニットの電源が切り換わっていないと判定する。アクチュエータ２００の実際の駆動量が、予め定められた量よりも少ない場合、何らかの原因で、電源スイッチ５１０を切り換えるために必要な駆動量の分、アクチュエータ２００が駆動しなかったことになるので、ユニットの電源が切り換わっていないと推定することができる。
【００３２】
また、制御装置１００は、例えば、電源スイッチ５１０を撮像する不図示の撮像部を備え、当該撮像部によって撮像された電源スイッチ５１０の画像に基づいて、ユニットの電源が切り換わっているか否かを判定する。
【００３３】
また、制御装置１００は、例えば、電源スイッチ５１０を含むユニットの電源がオンになっているときに点灯する電源ランプ５１２を撮像する不図示の撮像部を備え、当該撮像部によって撮像された電源ランプ５１２の画像に基づいて、ユニットの電源が切り換わっているか否かを判定する。
【００３４】
駆動部１１４は、複数のアクチュエータ２００を、予め定められた順番で、予め定められた駆動量に応じて駆動させる場合に、回線交換機５００が有する複数のユニットのうちの一のユニットの電源スイッチ５１０に対応する一のアクチュエータ２００を、予め定められた駆動量に応じて駆動させた後、一のユニットの電源が切り換わっていると判定された場合、一のアクチュエータ２００の次の順番のアクチュエータ２００を、予め定められた駆動量に応じて駆動させてよく、一のユニットの電源が切り換わっていないと判定された場合、一のアクチュエータ２００の次の順番以降のアクチュエータ２００を駆動させなくてよい。これにより、複数のユニットを予め定められた順番でオフ又はオンにする場合において、途中で電源スイッチの切り換えに失敗した場合に、それ以降の切り換えを停止することができる。制御装置１００は、一のユニットの電源が切り換わっていないと判定された場合、通信端末２０に対して警告情報を送信してもよい。これにより、通信端末２０の使用者に対して、複数のユニットの電源の切り換えが成功しなかったことを知得させることができる。
【００３５】
制御装置１００は、回線交換機５００が有する、回線交換機５００に異常が発生しているときに点灯するアラームランプ５２０を撮像する不図示の撮像部を備えてもよい。制御装置１００は、複数の回線交換機５００のうち、一の回線交換機５００の電源をオフにするために電源ランプ５１２を切り換えることを指示する命令を受信した場合に、当該一の回線交換機５００のアラームランプ５２０を確認して、アラームランプ５２０が点灯していない場合、命令を送信した通信端末２０に対して警告情報を送信してよい。これにより、複数の回線交換機５００のうち、本来ハードリセットすべき回線交換機５００とは異なる回線交換機５００に対するハードリセットの命令が誤って送信されてしまった場合に、そのことを送信者に気付かせることができ、誤ってハードリセットを実行してしまうことを防止できる。
【００３６】
図４に示す実施形態では、複数の回線交換機５００のそれぞれに対して、制御装置１００が使用される場合を示したが、これに限らない。複数の回線交換機５００に対して一の制御装置１００が使用されてもよい。この場合、制御装置１００は、複数の回線交換機５００の複数の電源スイッチ５１０に対応する複数のアクチュエータ２００を制御してよい。
【００３７】
図５は、制御装置１００の機能構成の一例を概略的に示す。制御装置１００は、データ格納部１０２、データ送信部１０４、命令受信部１１２、駆動部１１４、アラーム受信部１１６、判定部１２０、駆動量取得部１２２、スイッチ撮像部１２４、電源ランプ撮像部１２６、アラームランプ撮像部１２８、及び警告情報送信部１３０を備える。なお、制御装置１００がこれらのすべての構成を備えることは必須とは限らない。
【００３８】
データ格納部１０２は、各種データを格納する。データ格納部１０２は、例えば、電子機器の物理的な電源スイッチを切り換えることを指示する命令を受け付けるためのＷｅｂページデータを格納する。また、データ格納部１０２は、アクチュエータ２００を駆動する駆動量を格納する。アクチュエータ２００の駆動量は、アクチュエータ２００が切り換える対象の電源スイッチに応じて予め格納されてよい。
【００３９】
データ送信部１０４は、データ格納部１０２に格納されているデータを送信する。データ送信部１０４は、例えば、通信端末２０からの要求に応じて、電子機器の物理的な電源スイッチを切り換えることを指示する命令を受け付けるためのＷｅｂページデータを、通信端末２０に送信する。
【００４０】
命令受信部１１２は、電子機器の物理的な電源スイッチを切り換えることを指示する命令を受信する。命令受信部１１２は、データ送信部１０４が送信したＷｅｂページデータを用いて、通信端末２０によって送信された命令を受信してよい。
【００４１】
駆動部１１４は、命令受信部１１２が受信した、電子機器の物理的な電源スイッチを切り換えることを指示する命令に従って、電源スイッチに対して物理的に作用するアクチュエータ２００を、予め定められた駆動量に応じて駆動する。駆動部１１４は、電子機器が、それぞれが電源スイッチを含む複数のユニットを有する場合、複数の電源スイッチに対応する複数のアクチュエータを、予め定められた順番で、予め定められた駆動量に応じて駆動してよい。また、駆動部１１４は、複数の電源スイッチに対応する複数のアクチュエータ２００を、予められた順番で、予め定められた駆動量に応じて駆動させた後、複数のアクチュエータ２００を、予め定められた順番とは逆順で、予め定められた駆動量に応じて駆動させてよい。
【００４２】
アラーム受信部１１６は、切換対象の電源スイッチを有する電子機器から、アラームを受信する。電子機器は、例えば、障害及び不具合等が発生した場合に、アラームを制御装置１００に送信してよい。駆動部１１４は、アラーム受信部１１６がアラームを受信したことに応じて、当該アラームを送信した電子機器が有する電源スイッチをオフにした後、オンにすべく、アクチュエータ２００を駆動させてよい。
【００４３】
判定部１２０は、駆動部１１４がアクチュエータ２００を、予め定められた駆動量に応じて駆動させた後、アクチュエータ２００に対応する電源スイッチを含む電子機器の電源が、アクチュエータ２００を駆動させる前から切り換わっているか否かを判定する。判定部１２０は、電子機器が、それぞれが電源スイッチを含む複数のユニットを有する場合、複数の電源スイッチに対応するアクチュエータ２００を、予め定められた駆動量に応じて駆動させた後、アクチュエータ２００に対応する電源スイッチを含むユニットの電源が、アクチュエータ２００を駆動させる前から切り換わっているか否かを判定してよい。
【００４４】
駆動部１１４は、複数のアクチュエータ２００を、予め定められた順番で、予め定められた駆動量に応じて駆動させる場合に、複数のユニットのうちの一のユニットの電源スイッチに対応する一のアクチュエータ２００を、予め定められた駆動量に応じて駆動させた後、当該一のユニットの電源が切り換わっていると判定された場合、当該一のアクチュエータの次の順番のアクチュエータ２００を、予め定められた駆動量に応じて駆動させてよい。駆動部１１４は、複数のアクチュエータ２００を、予め定められた順番で、予め定められた駆動量に応じて駆動させる場合に、複数のユニットのうちの一のユニットの電源スイッチに対応する一のアクチュエータ２００を、予め定められた駆動量に応じて駆動させた後、当該一のユニットの電源が切り換わっていないと判定された場合、当該一のアクチュエータ２００の次の順番以降のアクチュエータ２００を駆動させなくてよい。
【００４５】
駆動量取得部１２２は、アクチュエータ２００が駆動した駆動量を取得する。駆動量取得部１２２は、駆動部１１４がアクチュエータ２００を駆動させた後、アクチュエータ２００から、実際に駆動した量を示す値を受信してよい。判定部１２０は、駆動量取得部１２２が取得した駆動量が予め定められた量より多い場合、駆動部１１４が駆動させたアクチュエータ２００に対応する電源スイッチを含むユニットの電源が、アクチュエータ２００の駆動前から切り換わっていると判定してよく、駆動量が予め定められた量より少ない場合、駆動部１１４が駆動させたアクチュエータ２００に対応する電源スイッチを含むユニットの電源が、駆動前から切り換わっていないと判定してよい。
【００４６】
スイッチ撮像部１２４は、電源スイッチを撮像する。スイッチ撮像部１２４は、電子機器が有する複数のユニットのそれぞれが含む電源スイッチを撮像してよい。判定部１２０は、スイッチ撮像部１２４によって撮像された電源スイッチの画像に基づいて、電源スイッチを含むユニットの電源が、アクチュエータ２００の駆動前の状態から切り換わっているか否かを判定してよい。判定部１２０は、例えば、ユニットの電源がオンの状態の電源スイッチの画像と、ユニットの電源がオフの状態の電源スイッチの画像とを格納しておき、スイッチ撮像部１２４による撮像画像との類似度が、オンの状態の電源スイッチの画像の方が高い場合、ユニットの電源がオンになっていると判定し、高くない場合、ユニットの電源がオフになっていると判定してよい。
【００４７】
電源ランプ撮像部１２６は、電子機器の電源がオンになっているときに点灯する電源ランプを撮像する。電源ランプ撮像部１２６は、電子機器が有する複数のユニットのそれぞれの電源ランプを撮像してよい。判定部１２０は、電源ランプ撮像部１２６によって撮像された電源ランプの画像に基づいて、複数のユニットの電源が、アクチュエータ２００の駆動前の状態から切り換わっているか否かを判定してよい。判定部１２０は、例えば、ユニットの電源がオンの状態の電源ランプの画像と、ユニットの電源がオフの状態の電源ランプの画像とを格納しておき、撮像画像との類似度が、オンの状態の電源ランプの画像の方が高い場合、ユニットの電源がオンになっていると判定し、高くない場合、ユニットの電源がオフになっていると判定してよい。
【００４８】
アラームランプ撮像部１２８は、複数の電子機器のそれぞれが有する、電子機器に異常が発生しているときに点灯するアラームランプを撮像する。
【００４９】
警告情報送信部１３０は、命令受信部１１２が、複数の電子機器のうちの一の電子機器の電源をオフにするために電源スイッチを切り換えることを指示する命令を受信した場合に、アラームランプ撮像部１２８によって撮像された画像に基づいて、当該一の電子機器が有するアラームランプが点灯していないと判定された場合、命令を送信した通信端末２０に対して警告情報を送信する。警告情報送信部１３０は、第２警告情報送信部の一例であってよい。警告情報送信部１３０は、例えば、点灯しているときのアラームランプの画像と、点灯していないときのアラームランプの画像とを予め格納しておき、アラームランプ撮像部１２８による撮像画像との類似度が、点灯しているときのアラームランプの画像の方が高い場合、アラームランプが点灯していると判定し、高くない場合、アラームランプが点灯していないと判定してよい。
【００５０】
警告情報送信部１３０は、駆動部１１４が、複数のアクチュエータ２００を、予め定められた順番で、予め定められた駆動量に応じて駆動させる場合に、複数のユニットのうちの一のユニットの電源スイッチに対応する一のアクチュエータ２００を、予め定められた駆動量に応じて駆動させた後、一のユニットの電源が切り換わっていないと判定部１２０によって判定された場合、警告情報を送信してよい。警告情報送信部１３０は、第１警告情報送信部の一例であってよい。
【００５１】
以上の説明において、制御装置１００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、制御装置１００として機能してもよい。プログラムは、コンピュータ読み取り可能な媒体又はネットワークに接続された記憶装置から、制御装置１００の少なくとも一部を構成するコンピュータにインストールされてよい。
【００５２】
コンピュータにインストールされ、コンピュータを本実施形態に係る制御装置１００して機能させるプログラムは、ＣＰＵ等に働きかけて、コンピュータを、制御装置１００の各部としてそれぞれ機能させる。これらのプログラムに記述された情報処理は、コンピュータに読込まれることにより、ソフトウエアと制御装置１００のハードウエア資源とが協働した具体的手段として機能する。
【００５３】
制御装置１００として機能するコンピュータは、例えば、Ａｒｄｕｉｎｏ  ＬＬＣ社及びＡｒｄｕｉｎｏ  ＳＲＬ社のＡＲＤＵＩＮＯであってよい。制御装置１００として機能するコンピュータがＡＲＤＵＩＮＯである場合、プログラムとして、Ｊａｖａ（登録商標）  ｓｃｒｉｐｔを用いてよい。
【００５４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５５】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００５６】
１０  通信ネットワーク、２０  通信端末、３０  スイッチ、４０  ネットワーク、５０  交換局、１００  制御装置、１０２  データ格納部、１０４  データ送信部、１１２  命令受信部、１１４  駆動部、１１６  アラーム受信部、１２０  判定部、１２２  駆動量取得部、１２４  スイッチ撮像部、１２６  電源ランプ撮像部、１２８  アラームランプ撮像部、１３０  警告情報送信部、１９０  Ｌ字金具、２００  アクチュエータ、３００  回線交換機、３０２  ラック、３１０  ユニット、３１２  電源スイッチ、３２０  ユニット、３２２  電源スイッチ、３３０  ユニット、３３２  電源スイッチ、３４０  ユニット、３４２  電源スイッチ、３５０  スイッチカバー、５００  回線交換機、５１０  電源スイッチ、５１２  電源ランプ、５２０  アラームランプ
【図１】
0006431502.tif 000002
【図２】
0006431502.tif 000003
【図３】
0006431502.tif 000004
【図４】
0006431502.tif 000005
【図５】
0006431502.tif 000006